(57)【要約】【課題】使用者に入力音声のレベルを変えるなどの処置を強要することなく、一時的な音に対しても簡単な構成で誤動作を軽減することができるようにしたＶＯＸ機能付き無線端末を提供する。【解決手段】第２ホルマントに対応する周波数帯域から消防車における警鐘の周波数帯域を削除した特定周波数帯域を通過する帯域通過フィルタ５を使用し、マイク４からの入力音のうち消防車のモーターサイレン音、警鐘音、救急車のサイレン音をほぼカットして第２ホルマントに対応する特定の周波数帯域の入力信号の有無を検出部６で検出し、この検出部６での検出があったときに、帯域通過型フィルタ５を通過した音声信号のレベルと、基準閾値レベル管理部８で予め設定した基準閾値レベルとを比較し、入力信号のレベルが基準閾値レベルを超えたときＰＴＴスイッチ７をＯＮ状態にしＶＯＸ機能部を作動させる。【選択図】図１
2012099999.tif 000002
【特許請求の範囲】
【請求項１】
入力信号の検出によってＰＴＴスイッチをＯＮ状態にするＶＯＸ機能部を有するＶＯＸ機能付き無線端末において、前記入力信号に、人間の音声の第２ホルマントに対応する周波数帯域から消防車における警鐘の周波数帯域を削除した特定周波数帯域が含まれていることを検出する特定周波数帯検出機能と、この特定周波数帯検出機能による検出があったとき前記ＰＴＴスイッチをＯＮ状態にするＯＮ−ＯＦＦ機能とを設けたことを特徴とするＶＯＸ機能付き無線端末。
【発明の詳細な説明】
【技術分野】
【０００１】
本発明は、狭帯域デジタル通信方式(ＡＲＩＢＳＴＤ−Ｔ６１)の全国消防用等で使用されるＶＯＸ機能付き無線端末に関する。
【背景技術】
【０００２】
特定小電力用無線端末や業務用無線端末では、音声信号が検出されないときにはＰＴＴ（Ｐｕｓｈ  ｔｏ  Ｔａｌｋ）スイッチをＯＦＦ状態に保持するが、音声信号が検出されたときにはＰＴＴスイッチをＯＮ状態にして送信系を作動するように構成したＶＯＸ（Ｖｏｉｃｅ  Ｏｐｅｒａｔｉｏｎ  Ｔｒａｎｓｍｉｓｓｉｏｎ）機能を有している。このようなＶＯＸ機能付き無線端末は、その使用者が消火作業や救急作業等を行っているためにＰＴＴスイッチを自分で操作できない場合でも、ＶＯＸ機能を用いて送信系を作動させることができるので、消防関係や救急関係で非常に有用である。
【０００３】
従来のＶＯＸ機能付き無線端末では、ＶＯＸ機能への入力信号のレベルを検出し、その入力信号のレベルがある基準閾値レベルを超えたときＰＴＴスイッチをＯＮ状態にするように構成していたため、背景雑音のある使用環境では音声以外の背景雑音によって誤動作してしまう。これを防止するために、入力信号から所定周波数帯域の背景雑音成分信号を抽出し、この抽出した背景雑音成分信号に基づいて基準閾値レベルを制御し、例えば背景雑音成分信号のレベルが大きい場合には基準閾値レベルを上げて背景雑音成分信号による誤動作を低減するようにしたものが知られている（特許文献１を参照）。
【先行技術文献】
【特許文献】
【０００４】
【特許文献１】特開平３−４９３２２号公報
【発明の概要】
【発明が解決しようとする課題】
【０００５】
しかしながら、従来のＶＯＸ機能付き無線端末では、ほぼ一定の背景雑音が継続的に存在する場合、入力信号から所定周波数帯域の背景雑音成分信号を抽出し、この抽出した背景雑音成分信号に基づいて基準閾値レベルを制御することで対応することができるが、その後の使用では、基準閾値レベルを上げることに伴って使用者が入力する音声のレベルを上げるなどの処置が強要されることになる。また、例えば、消防車や救急車のサイレン音のような一時的に生じる音に対しては誤動作を低減することが難しかった。
【０００６】
そこで本発明の目的は、使用者に入力音声のレベルを変えるなどの処置を強要することなく、一時的な音に対しても簡単な構成で誤動作を軽減することができるようにしたＶＯＸ機能付き無線端末を提供することにある。
【課題を解決するための手段】
【０００７】
本発明は上記目的を達成するために、入力信号の検出によってＰＴＴスイッチをＯＮ状態にするＶＯＸ機能部を有するＶＯＸ機能付き無線端末において、前記入力信号に、人間の音声の第２ホルマントに対応する周波数帯域から消防車における警鐘の周波数帯域を削除した特定周波数帯域が含まれていることを検出する特定周波数帯検出機能と、この特定周波数帯検出機能による検出があったとき前記ＰＴＴスイッチをＯＮ状態にするＯＮ−ＯＦＦ機能とを設けたことを特徴とする。
【発明の効果】
【０００８】
本発明のＶＯＸ機能付き無線端末によれば、使用者に音声レベルを変更するなどの処置を強要することなく、一時的な消防車のモーターサイレン音、警鐘音、救急車のサイレン音の各周波数帯域をカットしながら、第２ホルマントに対応する特定の周波数帯域の音声信号を検出することができるので、ＶＯＸ機能部の誤動作を防止もしくは軽減しながら音声信号を送信することができるようになる。しかも、従来のように基準閾値レベルを制御する時間を要することなく、応答性の良いＶＯＸ機能部とすることができる。
【図面の簡単な説明】
【０００９】
【図１】本発明の一実施の形態によるＶＯＸ機能付き無線端末の要部を示すブロック構成図である。
【図２】図１に示した無線端末を使用した無線システムの概略構成図である。
【図３】本発明の他の実施の形態によるＶＯＸ機能付き無線端末の要部を示すブロック構成図である。
【発明を実施するための形態】
【００１０】
以下、本発明の実施の形態を図面に基づいて説明する。
【実施例１】
【００１１】
図２は、本発明の一実施の形態によるＶＯＸ機能付き無線端末を使用する無線システムを示す概略構成図である。無線基地局２と無線端末３の間の無線方式はＳＣＰＣ（Ｓｉｎｇｌｅ−Ｃｈａｎｎｅｌ  Ｐｅｒ  Ｃａｒｒｉｅｒ）方式で、その通信方法はＰＴＴ（Ｐｕｓｈ  ｔｏ  Ｔａｌｋ）による一斉通信が使用されている。無線端末３は、その入力音声信号を検出したときＰＴＴスイッチをＯＮ状態にするＶＯＸ機能部を有して構成しているため、無線端末３の使用条件として近傍に消防署１等が存在したりすると、ＶＯＸ機能部の誤動作の原因となり得る入力信号を受信することがある。この誤動作を防止するために、無線端末３のＶＯＸ機能部を次にように構成している。
【００１２】
図１は、無線端末３のＶＯＸ機能部の一例を示すブロック構成図である。
マイク４を通しての入力信号は、詳細を後述する特定の周波数帯域、例えば、１３００〜２２００Ｈｚの周波数帯域を通過させる帯域通過型フィルタ５を通して検出部６に導いている。検出部６では、この特定の周波数帯域の入力信号が存在しない場合にはＰＴＴスイッチ７をＯＦＦ状態に保持するが、この特定の周波数帯域の入力信号が存在する場合には、検出部６において入力信号レベルと、基準閾値レベル管理部８で予め設定した基準閾値レベルとを比較し、入力信号レベルが基準閾値レベルを超えたときＰＴＴスイッチ７をＯＮ状態にするようにしている。
【００１３】
無線端末３の使用形態では、その使用場所によって継続的に生じている背景雑音や、その使用者の音声以外に、マイク４を通して一時的に検出される音、つまり消防車のモーターサイレン音、消防車の警鐘音、救急車のサイレン音等が入力されることが考えられる。
【００１４】
先ず、無線端末３のマイク４を通して使用者の音声入力があった場合について考慮すると、人の音声には共鳴により強められた周波数が存在し、その周波数のことをホルマントと称して、低い周波数から、第１ホルマント、第２ホルマント……と呼ばれている。第１ホルマントは、２４０〜約８００Ｈｚに存在し、また、第２ホルマントは、男性の場合は１０００〜２２００Ｈｚ、女性の場合は１２５０〜２８００Ｈｚ、男女を区別しない場合は１０００〜２８００Ｈｚに存在する。
【００１５】
一方、マイク４を通して検出されてＶＯＸ機能部の誤動作の要因となる他の入力信号について考慮すると、消防車のモーターサイレン音の周波数は、３００〜８５０Ｈｚである。また消防車の警鐘の発振周波数は１１８０Ｈｚ及び３０００Ｈｚの複合音である。さらに救急車のサイレンは、低音が７７０Ｈｚ、高音が９６０Ｈｚの高低２音による繰返し音である。
【００１６】
上述した第１ホルマント（２４０〜約８００Ｈｚ）は、消防車のモーターサイレン音の周波数（３００〜８５０Ｈｚ）、救急車のサイレン音の低音周波数（７７０Ｈｚ）と同じ帯域になっているので、この第１ホルマントの周波数帯域を利用して、これらサイレン音と人間の声とを区別することができない。しかし、上述した第２ホルマント（１０００〜２８００Ｈｚ）は、消防車のモーターサイレン音の周波数（３００〜８５０Ｈｚ）、救急車のサイレン音の低音周波数（７７０Ｈｚ）と異なる周波数帯域となっているので、この帯域では、これらサイレン音と人間の声とを区別することができるものの、消防車における警鐘の一方の発振周波数（１１８０Ｈｚ）は含まれるのでこれを区別することができない。
【００１７】
そこで、上述した帯域通過型フィルタ５としては、第２ホルマント（１０００〜２８００Ｈｚ）に対応する周波数帯域から、消防車における警鐘の周波数帯域を削除した周波数帯域を通過するものを使用している。例えば、１３００〜２８００Ｈｚ、男性による無線端末の使用が多いことを考慮するとより限定的には１３００〜２２００Ｈｚの周波数帯域を通過させる帯域通過型フィルタ５としている。このような帯域通過型フィルタ５を使用すると、消防車のサイレン音や救急車のサイレン音は勿論、消防車の警鐘を排除して人間の音声信号を検出部６に送ることができる。特に、後者のように１３００〜２２００Ｈｚの周波数帯域を通過させる帯域通過型フィルタ５とした場合、消防車における警鐘の一方の発振周波数（１１８０Ｈｚ）と、警鐘の他方の発振周波数（３０００Ｈｚ）とは明確に区分した周波数帯域を通過させることになるので、消防車のサイレン音や救急車のサイレン音は勿論、消防車の警鐘から人間の音声信号を明確に区別して検出部６へと送ることができる。
【００１８】
従って、検出部６は、マイク４からの入力信号のうち消防車のモーターサイレン音、警鐘音、救急車のサイレン音をほぼカットして第２ホルマントに対応する特定の周波数帯域の入力信号のみを受けることになり、この受信によって無線端末３の使用者の音声入力があったことを確実に精度良く検出することができる。この検出によってＰＴＴスイッチ７をＯＮ状態にすることもできるが、ここでは、帯域通過型フィルタ５を通過した音声信号のレベルと、基準閾値レベル管理部８で予め設定した基準閾値レベルとを比較し、入力信号のレベルが基準閾値レベルを超えたときＰＴＴスイッチ７をＯＮ状態にしＶＯＸ機能部を作動させるようにしている。
【００１９】
無線端末３の通常の使用形態では、消防車のモーターサイレン音、警鐘音、救急車のサイレン音等の突発的な音以外にも、通常の背景雑音の中に含まれた音声等も存在する。しかし、そのような背景雑音がマイク４からの入力信号に混入しても、無線端末３の使用者による音声と比べて低いレベルである。このため、上述したように検出部６で、帯域通過型フィルタ５を通過した音声信号のレベルを検出し、この音声信号のレベルと、基準閾値レベル管理部８で予め設定した基準閾値レベルとを比較し、音声信号のレベルが基準閾値レベルを超えたときＰＴＴスイッチ７をＯＮ状態にするようにすることにより、背景雑音による影響を阻止することができる。尚、この背景雑音に対しては、従来のようにその入力信号のレベルに応じて基準閾値レベルを変更しても良い。
【００２０】
上述した説明から分かるように無線端末３の検出部６は、第２ホルマントに対応する周波数帯域から消防車における警鐘の周波数帯域を削除した特定の周波数帯域を通過させる帯域通過フィルタ５からの入力信号の有無によって特定の周波数帯域を検出する周波数帯検出機能と、この周波数帯検出機能によって上述した特定の周波数帯域を抽出したときその入力信号のレベルを検出するレベル検出機能と、このレベル検出機能によって検出した入力信号のレベルと基準閾値レベル管理部８で予め設定した基準閾値レベルとを比較する比較機能と、この比較機能による比較の結果、入力信号のレベルが基準閾値レベルを超えたときＰＴＴスイッチ７をＯＮ状態にするＯＮ−ＯＦＦ機能とを有して構成している。
【００２１】
このような構成のＶＯＸ機能付き無線端末３によれば、帯域通過フィルタ５および検出部６によって、入力信号に、人間の音声の第２ホルマントに対応する周波数帯域から消防車における警鐘の周波数帯域を削除した特定周波数帯域が含まれていることを検出する特定周波数帯検出機能と、この特定周波数帯検出機能による検出があったとき前記ＰＴＴスイッチをＯＮ状態にするＯＮ−ＯＦＦ機能とを設けたため、消防車のモーターサイレン音、警鐘音、救急車のサイレン音の各周波数帯域をカットしながら、第２ホルマントに対応する特定の周波数帯域の音声信号を検出することができるので、誤動作を防止もしくは低減することができる。しかも、継続的に存在する背景雑音とは異なるこれらの一時的な音に対しては、従来のように基準閾値レベルの変更に伴って使用者の入力音声レベルを変更するなどの処置を強要することもない。
【００２２】
従って、消防車や救急車搭載の無線システムの中で無線端末３を使用する場合でも、無線端末の使用者が防火手袋をしているためにＰＴＴスイッチが押しにくかったり、両手で消火作業や救急作業を行っているためにＰＴＴスイッチが押せないという状況が存在しても、無線端末の使用者の主たる活動を制限することなく、ＶＯＸ機能部の誤動作を防止もしくは軽減しながら音声信号を送信することができるようになる。また、従来のように入力信号から所定周波数帯域の背景雑音成分信号を抽出し、この抽出した背景雑音成分信号に基づいて基準閾値レベルを制御する方式に比べて、予め、第２ホルマントに対応する特定の周波数帯域の音声信号を検出するため、基準閾値レベルを制御する時間が不要であり、直ちにＶＯＸ機能部の誤動作を防止もしくは軽減しながら作動させることができる。
【００２３】
また、上述したＶＯＸ機能付き無線端末は、第２ホルマントに対応する特定の周波数帯域の音声信号を検出したとき、その検出した音声信号のレベルを検出するレベル検出機能と、このレベル検出機能によって検出した入力信号のレベルと基準閾値レベル管理部８で予め設定した基準閾値レベルとを比較する比較機能と、この比較機能による比較の結果、入力信号のレベルが基準閾値レベルを超えたときＰＴＴスイッチ７をＯＮ状態にするＯＮ−ＯＦＦ機能とを有して構成したため、先の効果に加えて、継続的に生じている背景雑音に音声が含まれていても、その背景雑音による誤動作を容易に防止することができる。
【００２４】
さらに、上述したＶＯＸ機能付き無線端末における特定周波数帯検出機能は、男性によるこの種の無線端末の使用が多いことを考慮して、第２ホルマントに対応する特定の周波数帯域として１３００〜２２００Ｈｚの周波数帯域を検出するものとすることにより、消防車の警鐘の発振周波数１１８０Ｈｚ及び３０００Ｈｚを入力音声信号と明確に区別し、ＶＯＸ機能部の誤動作を防止することができる。
【００２５】
図３は、本発明の他の実施の形態によるＶＯＸ機能付き無線端末の要部を示すブロック構成図であり、先の実施の形態において帯域通過フィルタ５および検出部６で構成した各機能を、本実施の形態ではＤＳＰ（Ｄｉｇｉｔａｌ  Ｓｉｇｎａｌ  Ｐｒｏｃｅｓｓｅｒ）によって実現したものである。
【００２６】
マイク４を通しての入力信号はＡＤコンバータ９でデジタル信号に変換した後、ＤＳＰ１０に入力し、このＤＳＰ１０によってＰＴＴスイッチ７をＯＮ−ＯＦＦ制御するように構成している。このＤＳＰ１０は、図２に示した実施の形態の場合と同様に、ＡＤコンバータ９からの取り込んだデジタル入力信号に含まれた第２ホルマントに対応する周波数帯域から、消防車における警鐘の周波数帯域を削除した周波数帯域１３００〜２８００Ｈｚ、または使用者を考慮して１３００〜２２００Ｈｚの周波数帯域を検出する特定周波数帯検出機能と、この特定周波数帯検出機能によって上述した特定の周波数帯域を抽出したときデジタル入力信号のレベルを検出するレベル検出機能と、このレベル検出機能によって検出したデジタル入力信号のレベルと基準閾値レベル管理部８で予め設定した基準閾値レベルとを比較する比較機能と、この比較機能による比較の結果、入力信号のレベルが基準閾値レベルを超えたときＰＴＴスイッチ７をＯＮ状態にするＯＮ−ＯＦＦ機能とを有して構成している。
【００２７】
このように、マイク４を通しての入力信号はＡＤコンバータ９でデジタル信号に変換した後、ＤＳＰ１０の特定周波数検出機能によって所定の周波数帯域を検出するようにすると、第２ホルマントから消防車の警鐘音における低い方の発振周波数１１８０Ｈｚを除いた所定の周波数帯域を精度良く容易に検出することができ、全体としての構成も簡略することができる。また、急峻な特性を持つ特定周波数検出機能のフィルタ特性は、アナログ方式よりデジタル方式で実現する方が容易であるから、ＤＳＰ１０による特定周波数検出機能によって望むような急峻な特性を持つフィルタ特性を得ることが可能であれば、第２ホルマントに対応する周波数帯域から消防車における警鐘の周波数帯域を削除した周波数帯域の一方である１３００Ｈｚを１２００Ｈｚにするなど、１１８０Ｈｚに近づけることも可能である。
【００２８】
この実施の形態のＶＯＸ機能付き無線端末によれば、先の実施の形態の場合と同様に、消防車のモーターサイレン音、警鐘音、救急車のサイレン音の周波数帯域をカットしながら、特定周波数帯検出機能によって第２ホルマントに対応する特定周波数帯域を検出することができので、簡単な構成で誤動作がなく、また応答性の良いＶＯＸ機能部を得ることができる。また第２ホルマントに対応する特定の周波数帯域の入力信号を検出したとき、その検出した入力信号のレベルを検出し、この入力信号のレベルと、基準閾値レベル管理部８で予め設定した基準閾値レベルとを比較し、入力信号のレベルが基準閾値レベルを超えたときＰＴＴスイッチ７をＯＮ状態にするようにしているため、先の効果に加えて、背景雑音に音声信号が含まれていても、その背景雑音による誤動作を容易に防止することができる。
【００２９】
尚、上述した各実施の形態では、消防車の警鐘音と合致することを避けるために第２ホルマントにおける低い方の周波数を検出していないため、この周波数においては第２ホルマントを検出してＶＯＸ機能によりＰＴＴスイッチをＯＮ動作させることができない。しかしながら、人の音声は、一音ではなく複数の音のつながり、つまり文として成り立つような言葉となることを考えると、第２ホルマント中の特定周波数のみに偏ることはないので第２ホルマントの一部の周波数を検出できないとしても、何等問題なく第２ホルマントを検出してＶＯＸ機能によりＰＴＴスイッチをＯＮ動作させることが可能である。
【産業上の利用可能性】
【００３０】
本発明によるＶＯＸ機能付き無線端末は、図１および図２に示した構成に限らず、他の構成のものにも適用することができる。
【符号の説明】
【００３１】
１    消防署
２    無線基地局
３    無線端末
４    マイク
５    帯域通過フィルタ
６    検出部
７    ＰＴＴスイッチ
８    基準閾値レベル管理部
９    ＡＤコンバータ
１０    ＤＳＰ
【図１】
2012099999.tif 000003
【図２】
2012099999.tif 000004
【図３】
2012099999.tif 000005